(57)【特許請求の範囲】
【請求項１】
商品に関する商品情報及び／またはサービスに関するサービス情報を提供する情報提供システムであって、
前記商品情報及び／または前記サービス情報を蓄積する情報蓄積手段と、
任意の商品及び／またはサービスを検索するためのキーワードと、前記商品及び／またはサービスとを対応付けて蓄積するキーワード蓄積手段と、
前記商品情報及び／またはサービス情報をインターネット上の検索エンジンで検索可能な形態に変換し、商品及び／またはサービスに対応するキーワードを前記キーワード蓄積手段から検索し、検索したキーワードを前記変換された商品情報及び／またはサービス情報に付加する変換手段と、
前記変換手段により変換され、かつ前記キーワードが付加された変換情報を、インターネット上でアクセス可能な状態で蓄積する変換情報蓄積手段と、
前記キーワード蓄積手段に蓄積されているキーワードと一致するキーワードが付加された変換情報を、前記変換情報蓄積手段から検索する前記インターネット上の検索エンジンと、
を有する情報提供システム。
【請求項２】
前記情報蓄積手段は、前記商品情報及びサービス情報の公開度を示すフィルタリング情報をさらに含み、
前記変換手段は、前記商品情報及び／またはサービス情報を、前記フィルタリング情報に基づいてフィルタリングし、フィルタリングされた前記商品情報及び／またはサービス情報を変換する、
請求項１に記載の情報提供システム。
【発明の詳細な説明】
【０００１】
【発明の属する技術分野】
本発明は、情報の検索及び提供に関する。
【０００２】
【従来の技術】
情報を蓄積する様々なデータベースは、そのデータベースの種類により、データのフォーマットが決まっている。データベースへのデータの書き込みや読み出し、更新は、各データベースに応じたＤＢＭＳ（Ｄａｔａ  Ｂａｓｅ  Ｍａｎａｇｅｍｅｎｔ  Ｓｙｓｔｅｍ）により行われる。このようなＤＢＭＳとしては、例えばリンゴファーム（登録商標）、オラクル（登録商標）を挙げることができる。
【０００３】
【発明が解決しようとする課題】
近年、インターネット上では、キーワードによりウェブページを検索するための各種の検索エンジンが提供されている。検索エンジンは、キーワードによるウェブページの検索を可能にするために、ＵＲＬ（Ｕｎｉｆｏｒｍ  Ｒｅｓｏｕｒｃｅ  Ｌｏｃａｔｏｒ）とキーワードとを分類データベースに記憶している。このような検索エンジンは、分類データベースに登録されているウェブページと、そのウェブページからリンクしているウェブページとを検索対象にしている。分類データベースへのＵＲＬ及びキーワードの登録は、検索エンジンがアクセス可能なウェブページを定期的にアクセスし、そこに含まれるキーワードを自動的に抽出することにより行ったり、ウェブページの所有者により自発的にＵＲＬ及びキーワードを分類データベースに登録することにより行ったりする。
【０００４】
例えばある企業で莫大な商品情報やサービス情報を商品データベースに蓄積しているとする。商品データベースに蓄積された情報のうち、公開してもいい情報については、積極的に外部に公開することにより、その企業の商品などを広く知らしめて宣伝したいという要望がある。しかし、企業内の商品データベースは、通常インターネットによりアクセスできる形式で構築されておらず、商品データベースのフォーマットに対応したＤＢＭＳでしか読み出しできない。そのため、商品データベースをインターネット上においてそのＵＲＬを前述の分類データベースに登録したとしても、検索エンジンは商品データベース内の商品情報を検索することができない。ましてや、それらの商品情報をインターネットブラウザで閲覧することもできない。
【０００５】
本発明の課題は、独自のフォーマットで各種データベースに蓄積された情報を、インターネット上で検索エンジンの検索対象にすることである。本発明の別の課題は、独自のフォーマットで各種データベースに蓄積された情報を、インターネット上で閲覧可能なデータ形式に変換することである。
【０００６】
【課題を解決するための手段】
発明１は、商品に関する商品情報及び／またはサービスに関するサービス情報を提供する情報提供システムであって、情報蓄積手段、キーワード蓄積手段、変換手段、変換情報蓄積手段及びインターネット上の検索エンジンを有する情報提供システムを提供する。情報蓄積手段は、前記商品情報及び／または前記サービス情報を蓄積する。キーワード蓄積手段は、任意の商品及び／またはサービスを検索するためのキーワードと、前記商品及び／またはサービスとを対応付けて蓄積する。変換手段は、前記商品情報及び／またはサービス情報をインターネット上の検索エンジンで検索可能な形態に変換し、商品及び／またはサービスに対応するキーワードを前記キーワード蓄積手段から検索し、検索したキーワードを前記変換された商品情報及び／またはサービス情報に付加する。変換情報蓄積手段は、前記変換手段により変換され、かつ前記キーワードが付加された変換情報を、インターネット上でアクセス可能な状態で蓄積する。前記インターネット上の検索エンジンは、前記キーワード蓄積手段に蓄積されているキーワードと一致するキーワードが付加された変換情報を、前記変換情報蓄積手段から検索する。
【０００７】
このシステムは、データベース独自のフォーマットで蓄積されている商品情報やサービス情報を、インターネット上で検索できる形態に変換する。変換した情報は、インターネット上でアクセス可能なように蓄積される。例えば、商品情報やサービス情報から、これらの情報を含むＨＴＭＬファイルやＸＭＬ（ｅＸｔｅｎｓｉｂｌｅ  Ｍａｒｋｕｐ  Ｌａｎｇｕａｇｅ）ファイル、ＳＧＭＬ（Ｓｔａｎｄａｒｄ  Ｇｅｎｅｒａｌｉｚｅｄ  Ｍａｒｋｕｐ  Ｌａｎｇｕａｇｅ）ファイルを生成する。生成したＨＴＭＬファイルなどは、例えば外部公開用ＷＷＷ（Ｗｏｒｌｄ  Ｗｉｄｅ  Ｗｅｂ）サーバに置かれ、インターネット上の各種検索エンジンやブラウザからアクセス可能となる。このようにして、各種データベースにそのデータベース独自のフォーマットで蓄積されている情報を、自動的にインターネットアクセス可能な情報に変換することができる。
【０００８】
キーワード蓄積手段は、商品やサービスの検索に使われそうな単語を、商品やサービスと関連づけて保存している。変換手段は、ある商品の商品情報を変換し、変換情報にその商品に関連づけられたキーワードを付加する。商品やサービスと関連づけられているキーワードが多ければ多いほど、検索でヒットする確率が高くなり、公開されている商品情報などが人の目に触れやすくなる。例えば商品「クッキングヒータ」の情報が掲載されたＨＴＭＬファイルを生成するのであれば、検索されたキーワード、例えば料理、簡単、おいしい、などをそのＨＴＭＬファイルに埋め込む。
【０００９】
例えばある会社の商品に関する全てのデータがイントラネット上のデータベースに蓄積されている場合、そのデータに基づいて詳細な商品情報が掲載されたウェブページを自動的に生成し、これをインターネット上で公開する。公開したウェブページは、検索エンジンによるウェブページの検索の対象となるため、検索エンジンのキーワード検索機能を使ってそのウェブページにアクセスする人が増え、その会社の商品を詳細に紹介したり宣伝したりする場を広げることができる。
【００１０】
発明２は、発明１の情報提供システムにおいて、前記情報蓄積手段は、前記商品情報及びサービス情報の公開度を示すフィルタリング情報をさらに含んでいる。また変換手段は、前記商品情報及び／またはサービス情報を、前記フィルタリング情報に基づいてフィルタリングし、フィルタリングされた前記商品情報及び／またはサービス情報を変換する。
【００１１】
フィルタリング情報の一例としては、商品情報やサービス情報のうち、公開が許可されている公開情報と、公開が許可されていない非公開情報とを示す公開フラグを挙げることができる。この場合、変換手段は、前記商品情報及び／またはサービス情報のうち、公開が許可されている公開情報を抽出して例えばＨＴＭＬファイルに変換し、ウェブページとして公開する。このように商品情報やサービス情報を公開するにあたり情報のフィルタリングを行うことで、例えば会社内部と外部とに対して共通のデータベースを用いながら秘密情報の漏洩を防止することができる。
【００１２】
なお、情報蓄積手段は、フィルタリング情報の他に、必要に応じて他の情報、例えば商品分類を示す情報を、商品情報やサービス情報に加えてさらに蓄積しても良い。
【００１３】
【発明の実施の形態】
＜第１実施形態例＞
［全体構成］
図１は、本発明の第１実施形態例に係る情報提供システムの機能構成図である。この情報提供システムは、データベースマネジメントシステム１０（ＤＢＭＳ）、及びウェブサーバ２０を含んでいる。ＤＢＭＳ１０は、イントラネットなどのローカルネットワークに接続可能なコンピュータ上を用いて実現され、データベースの管理やその内部の情報の検索を実行し、検索画面Ｓ１や検索結果Ｓ２を出力する。ウェブサーバ２０は、ＤＢＭＳ１０に接続可能であり、かつインターネット５０に接続可能なコンピュータ上で動作する。なお、ＤＢＭＳ１０とウェブサーバ２０とは、この図に示すように別々のコンピュータ上で動作してもよいし、同一のコンピュータ上で動作してもよい。
【００１４】
ＤＢＭＳ１０は、データベース群１１と、データベース群１１にコンテンツＣの登録や更新、削除を行う管理部１２と、データベース群１１に蓄積されているデータの検索を受け付ける検索部１３と、検索部１３が検索した結果を出力する結果出力部１４と、を有している。なお、管理部１２、検索部１３及び結果出力部１４が動作するコンピュータとは別のコンピュータ上に、データベース群１１を置くことも可能である。
【００１５】
データベース群１１は、商品に関する商品情報やサービスに関するサービス情報を蓄積する登録ＤＢ１１１を含み、好ましくはキーワード辞書ＤＢ１１２をさらに含んでいる。キーワード辞書ＤＢ１１２には、登録ＤＢ１１１に蓄積されている情報を検索するのに用いられるキーワードが蓄積される。例えば登録ＤＢ１１１に商品情報が蓄積されている場合、商品を検索するためのキーワードが商品と対応付けて蓄積される。登録ＤＢ１１１やキーワード辞書ＤＢ１１２は、ＤＢＭＳ１０に固有のフォーマットで情報を蓄積している。このようなＤＢＭＳ１０としては、特に限定されないが、例えばリンゴファーム（（株）富士通長野システムエンジニアリング製；登録商標）を用いることができる。
【００１６】
ウェブサーバ２０は、登録ＤＢ１１１に基づいて生成されるウェブページ群２１とウェブページ生成部２２とを有している。ウェブページ群２１の各ＵＲＬ及び各ウェブページを検索するためのキーワードは、インターネット５０上の検索エンジン３０の分類ＤＢ３１に登録され、ウェブページ群２１は検索エンジン３０の検索対象となる。分類ＤＢ３１へのＵＲＬ及びキーワードの登録は、検索エンジン３０がウェブページ群２１に定期的にアクセスし、そこに含まれるキーワードを自動的に抽出することにより行ったり、本ウェブサーバ２０の管理者が自発的にＵＲＬ及びキーワードを分類ＤＢ３１に登録することにより行う。また、ウェブページ群２１はインターネット５０上のインターネットブラウザ（以下ブラウザという）４０からアクセス可能である。なお、検索エンジン３０の分類ＤＢ３１は、ＵＲＬとそのＵＲＬを検索するキーワードとを蓄積している。
【００１７】
ウェブページ生成部２２は、登録ＤＢ１１１内のデータに基づいてウェブページ群２１の元となるＨＴＭＬソースを生成する。このようなウェブページ生成部２２は、ＣＧＩ（Ｃｏｍｍｏｎ  Ｇａｔｅｗａｙ  Ｉｎｔｅｒｆａｃｅ）、ＪＳＰ（Ｊａｖａ  Ｓｅｒｖｅｒ  Ｐａｇｅ）、ＡＳＰ（Ａｃｔｉｖｅ  Ｓｅｒｖｅｒ  Ｐａｇｅ）、ＳＥＲＶＬＥＴなど、ウェブサーバ２０へのアクセスを起点に処理を行うソフトウェアで実現される。ウェブページ生成部２２の詳細な機能については後述する。
【００１８】
［登録ＤＢ］
図２は、登録ＤＢ１１１に蓄積される情報の一例を示す概念説明図である。同図（ａ）は、登録ＤＢ１１１に商品に関する商品情報が蓄積されている例を示す。商品情報は、登録ＤＢ１１１への「登録日時」、商品を特定する「商品コード」、商品分類を示す「分類コード」、「商品名」、商品の「型式」、商品のセールスポイントを示す「内容」、商品の画像データを格納するファイルを示す「写真」、商品の詳細な画像を格納するファイルを示す「詳細」、その商品を検索するのに用いられるキーワードとなる「検索キー」などの項目を、１レコードに含んでいる。同図（ｂ）は分類コードと商品分類との対応付けを示す商品分類テーブルである。同図（ｃ）は、商品情報に含まれる各項目に公開レベルを設定しているフィルタリングテーブルの一例を示す。この例では、公開レベルは公開を示す「０」かまたは非公開を示す「１」のいずれかの値を持つ公開フラグで示される。
【００１９】
［ウェブページ生成部］
次に、ウェブページ生成部２２が図２に示す登録ＤＢ１１１に基づいてウェブページ群２１を生成する機能について、図面を用いながら詳細に説明する。
（１）ウェブページの生成
ウェブページ生成部２２は、登録ＤＢ１１１に基づいて、例えば図２に示した商品情報を含むＨＴＭＬソースを生成する。図３〜図６に、商品情報を含むＨＴＭＬソースの一例を示す。このＨＴＭＬソースは商品情報を掲載した商品ウェブページ用ソースであり、このようなソースは基本的には１つの商品情報レコードに対して少なくとも１つ生成される。具体的には、ウェブページ生成部２２は、登録ＤＢ１１１から商品情報を読み出し、ウェブページを表示するためのタグを生成し、タグ単位で表示形態の指定及び商品情報のコンテンツをＨＴＭＬソースに記述する。表示形態とは、各コンテンツの表示位置や表示方法、フォントなどであり、商品情報に含まれる各項目やウェブページのデザインを考慮して設定される。また、ウェブページ生成部２２は、生成したＨＴＭＬソースを特定するためのＵＲＬをさらに生成する。
【００２０】
登録ＤＢ１１１内の情報をＨＴＭＬソースに変換することにより、独自のフォーマットで保存されている情報をインターネット上で検索エンジン３０の検索対象とすることができる。これは検索エンジン３０を用いたウェブページのキーワード検索を行う潜在顧客に商品ウェブページを閲覧してもらう機会を作り、結果的に登録ＤＢ１１１内の商品情報をインターネット上で広く知らしめることになる。
【００２１】
（２）フィルタリング
ウェブページ生成部２２は、商品情報のうち公開フラグが公開を示す「０」になっている項目を登録ＤＢ１１１から抽出し、ＨＴＭＬソースに書き込むとよい。このように商品情報やサービス情報を公開するにあたり情報のフィルタリングを行うことで、例えば会社内部と外部とに対して共通の登録ＤＢ１１１を用いながら秘密情報の漏洩を防止することができる。なお、公開レベルを、例えば会員用、非会員用、社内用などより細かく設定することも可能である。また、細かく設定した公開レベルに応じたウェブページを生成することもできる。
【００２２】
（３）キーワード埋込
また、ウェブページ生成部２２は、商品情報を掲載した商品ウェブページ用ＨＴＭＬソースに、商品情報に含まれていないキーワードを埋め込んでも良い。図６に、ＨＴＭＬソースに記述された検索キーワードＫＷの一例を示す。例えば、商品情報中の分類コードに対応する商品分類に基づいてキーワード辞書ＤＢ１１２を検索し、対応するキーワード（以下、補助キーワードという）をＨＴＭＬソースに埋め込むことが挙げられる。埋め込まれた補助キーワード及び商品情報に含まれている検索キーを、共に検索キーワードとして検索エンジンが識別可能なタグを付してＨＴＭＬソースに記述する。
【００２３】
例えば商品分類「クッキングヒータ」の情報が掲載されたＨＴＭＬファイルを生成するのであれば、検索キー「クッキングヒータ、コンロ」と、補助キーワード、例えば「料理、簡単、おいしい」を、検索キーワードとしてそのＨＴＭＬファイルに記述する。検索キーワードは、前述の方法で検索エンジン３０の分類ＤＢ３１に登録されるので、商品と関連づけられている検索キーワードが多ければ多いほど、検索エンジン上でそのＵＲＬがヒットする確率は高くなり、商品ウェブページが人の目に触れる機会が多くなる。
【００２４】
（４）リンク埋込
ウェブページ生成部２２は、生成したＨＴＭＬソースに、他のリソースへのリンクを埋め込むことができる。図４は、商品のイメージデータが格納されている登録ＤＢ１１１内のファイル「ｐｄｆ／ｉｈ．ｐｄｆ」がリンク「Ｌ４」としてＨＴＭＬソースに埋め込まれていることを示す。リソースは、インターネット上の他のＨＴＭＬソースやＸＭＬソースでも良いし、登録ＤＢ１１１内のイメージファイルなどでも良い。ＨＴＭＬソースにリンクを記述することにより、ウェブページを見やすくでき、また登録ＤＢ１１１内の関連情報を知ってもらう機会を増やすことができる。
【００２５】
（５）誘導マークの埋込
ウェブページ生成部２２は、登録ＤＢ１１１内の商品情報に加え、登録ＤＢ１１１には含まれていない情報やプログラムをＨＴＭＬソースに記述することもできる。図３は、一例として、登録ＤＢ１１１への誘導マークＭの記述例を示す。誘導マークＭは、画像ファイル「ｉｍａｇｅｓ／ｙａｊｉｒｕｓｈｉ．ｇｉｆ」で表示される。商品ページの閲覧者がウェブページに表示される誘導マークＭをクリックすると、ウェブページ生成部２１がＤＢＭＳ１０を起動し、登録ＤＢ１１１のトップページの画面をＤＢＭＳ１０から取得してブラウザ４０上に提供する。登録ＤＢ１１１への誘導マークＭをＨＴＭＬソースに記述することにより、登録ＤＢ１１１へインターネット上の潜在顧客を呼び込み、商品についてよりよく知ってもらうきっかけを作ることができる。
【００２６】
（６）階層の生成
ウェブ生成部２２は、ウェブページの階層を生成することもできる。ウェブページの階層は、例えば商品コードや分類コードに基づいて、あるいは予め設定された規則に基づいて生成される。異なる階層に位置するＨＴＭＬソースに記述される情報は階層のレベルにより異なる。図３〜図６に例示する商品ウェブページ用ＨＴＭＬソースは最下層に位置するよう、階層構造が形成される。図７〜図１１は、商品ウェブページの上位階層に位置するウェブページのＨＴＭＬソースの一例である。また図１２は、図３〜図１１に示したＨＴＭＬソースの階層構造を示す説明図である。ＨＴＭＬソースを階層化することにより、インターネット上での商品の検索を容易にすることができる。
【００２７】
図７及び図８は、階層の最も上位に位置するトップページのＨＴＭＬソースの一例を示す。トップページには、次の階層のウェブページへのリンクＬ１が埋め込まれ、閲覧者に選択させるメニューが記述されているが、商品情報は記述されていない。トップページの閲覧者がいずれかのメニューを選択すると、そのメニューに対応するリンク先のウェブページが表示される。
【００２８】
図９は、トップページの直下の階層（階層１）に位置するウェブページのＨＴＭＬソースの一例を示す。このＨＴＭＬソースには、さらにその下の階層に位置するウェブページへのリンクＬ２が埋め込まれ、閲覧者に選択させるための階層メニュー１が記述されている。閲覧者がいずれかのメニューを選択すると、そのメニューに対応するリンク先のウェブページが表示される。
【００２９】
図１０及び図１１は、商品ウェブページの１つ上の階層（階層ｎ）に位置するウェブページのＨＴＭＬソースの一例である。このＨＴＭＬソースには、それぞれ異なる商品の情報を掲載した商品ウェブページ群へのリンクＬ３と、閲覧者に選択させるための階層メニューｎとが記述されている。いずれかのメニューを選択すると、例えば前記図３〜図６のＨＴＭＬソースに基づく商品ウェブページが表示される。
【００３０】
（７）更新
前記図３〜図６に例示する商品ウェブページのＨＴＭＬソースには、登録ＤＢ１１１内の商品情報の更新が反映されることが好ましい。そのために、登録ＤＢ１１１内の商品情報とＨＴＭＬソースとの関係付けがなされていることが好ましい。例えば、商品情報に含まれる登録日時を用いてウェブページ群２１のＵＲＬを生成し、商品情報とウェブページ群２１と登録日時により関連付けることが考えられる。このようにしておけば、登録ＤＢ１１１内の情報が更新された時、ウェブページ生成部２２は対応するＨＴＭＬソースをその更新日時から特定し、そのＨＴＭＬソースを更新したり削除したりすることが可能となる。
【００３１】
［画面例］
図１３〜図１６は、図３〜図１１に示す各ＨＴＭＬソースのウェブページの表示例である。図１３はトップページの画面例であり、図７及び図８に示すトップページのＨＴＭＬソースに基づいて表示される。ソース中に記述されたリンクＬ１は、表示されたメニューに埋め込まれている。いずれかのメニューを選択すると、例えば図１４のウェブページが表示される。
【００３２】
図１４は、図９に示すＨＴＭＬソースの表示例（階層１）である。ソース中に記述されたリンクＬ２は、表示された階層メニュー１に埋め込まれている。いずれかのメニューを選択すると、リンクＬ２で指定されているリンク先のウェブページが表示される（図示せず）。
図１５は、図１０及び図１１で示すＨＴＭＬソースの表示例（階層ｎ）である。ソース中に記述されたリンクＬ３は、画面上のメニューに埋め込まれている。いずれかのメニューを選択すると、選択された商品に応じ、例えば図１６に示す商品ウェブページが表示される。
【００３３】
図１６は、図３〜図６で示すＨＴＭＬソースの表示例（商品ウェブページ）である。表示される商品情報は公開フラグ「０」の項目である。画面下方には、商品情報中の検索キー及びキーワード辞書ＤＢ１１２から抽出された補助キーワードを含む検索キーワードＫＷが表示されている。また、ＨＴＭＬソース中のリンクＬ４に対応して商品の詳細情報へのリンクＬ４が表示されている。ＨＴＭＬソースの中に記述された誘導マークＭは、画面右上に表示されている。この誘導マークＭをクリックすると、例えばＤＢＭＳ１０による登録ＤＢ１１１の入り口画面が表示され、ＤＢＭＳ１０の機能を用いた商品の検索をインターネット５０上で実行することができる。
【００３４】
＜その他の実施形態例＞
前述した本発明の方法を実行するプログラムを記録した記録媒体は、本発明に含まれる。ここで記録媒体としては、コンピュータが読み書き可能なフレキシブルディスク、ハードディスク、半導体メモリ、ＣＤ−ＲＯＭ、ＤＶＤ、光磁気ディスク（ＭＯ）、その他のものが挙げられる。
【００３５】
【発明の効果】
本発明を用いれば、独自のフォーマットでデータベースに保存されている情報を、インターネット上の検索エンジンの検索対象にすることができる。また、独自のフォーマットでデータベースに保存されている情報を、インターネット上で公開することができる。
【図面の簡単な説明】
【図１】  第１実施形態例に係る情報提供システムの機能構成図。
【図２】  図１の情報提供システムにおいて、登録ＤＢに蓄積される情報の一例を示す概念説明図。
（ａ）商品情報の概念説明図
（ｂ）商品分類テーブルの概念説明図
（ｃ）フィルタリングテーブルの概念説明図
【図３】  商品情報を掲載した商品ウェブページ用ＨＴＭＬソースの一例を示す説明図（１）。
【図４】  商品情報を掲載した商品ウェブページ用ＨＴＭＬソースの一例を示す説明図（２）。
【図５】  商品情報を掲載した商品ウェブページ用ＨＴＭＬソースの一例を示す説明図（３）。
【図６】  商品情報を掲載した商品ウェブページ用ＨＴＭＬソースの一例を示す説明図（４）。
【図７】  トップページのＨＴＭＬソースの一例を示す説明図（１）。
【図８】  トップページのＨＴＭＬソースの一例を示す説明図（２）。
【図９】  階層１に位置するウェブページのＨＴＭＬソースの一例を示す説明図。
【図１０】  階層ｎに位置するウェブページのＨＴＭＬソースの一例を示す説明図（１）。
【図１１】  階層ｎに位置するウェブページのＨＴＭＬソースの一例を示す説明図（２）。
【図１２】  図３〜図１１に示したＨＴＭＬソースの階層構造を示す説明図、
【図１３】  トップページの表示例。
【図１４】  階層１のウェブページの表示例。
【図１５】  階層ｎのウェブページの表示例。
【図１６】  商品ウェブページの表示例。
【符号の説明】
１０：ＤＢＭＳ
２０：ウェブサーバ
３０：検索エンジン
４０：インターネットブラウザ
５０：インターネット
【図１】
0003793479.tif 000002
【図２】
0003793479.tif 000003
【図３】
0003793479.tif 000004
【図４】
0003793479.tif 000005
【図５】
0003793479.tif 000006
【図６】
0003793479.tif 000007
【図７】
0003793479.tif 000008
【図８】
0003793479.tif 000009
【図９】
0003793479.tif 000010
【図１０】
0003793479.tif 000011
【図１１】
0003793479.tif 000012
【図１２】
0003793479.tif 000013
【図１３】
0003793479.tif 000014
【図１４】
0003793479.tif 000015
【図１５】
0003793479.tif 000016
【図１６】
0003793479.tif 000017